(57)【特許請求の範囲】
【請求項１】
左右方向に連接される第１側面パネル、第２側面パネル、第３側面パネル及び第４側面パネルと、上記第１側面パネル及び第３側面パネルの上縁から延出する一対の上側外フラップと、上記第２側面パネル及び第４側面パネルの上縁から延出する一対の上側内フラップと、上記第１側面パネル及び第３側面パネルの下縁から延出する一対の下側外フラップと、上記第２側面パネル及び第４側面パネルの下縁から延出する一対の下側内フラップとを備え、
連接方向一端側の第１側面パネル及び連接方向他端側の第４側面パネルが連結して四角筒状部を形成することで箱型に組立可能な箱用シートであって、
組立状態で対向する第１側面パネル及び第３側面パネルと第１側面パネル及び第３側面パネルから延出する上側外フラップ及び下側外フラップとの境界にそれぞれ折り曲げ容易線が形成されており、
各折り曲げ容易線が、一端から他端に亘り波状に形成されており、
上記第１側面パネルと上側外フラップとの境界及び第１側面パネルと下側外フラップとの境界に形成される折り曲げ容易線が上記第１側面パネルの連接方向の一端から他端にかけて同一波形状を有し、かつ上記第３側面パネルと上側外フラップとの境界及び第３側面パネルと下側外フラップとの境界に形成される折り曲げ容易線が上記第３側面パネルの連接方向の一端から他端にかけて同一波形状を有し、
展開状態において、上記第１側面パネルと上側外フラップとの境界、及び上記第３側面パネルと上側外フラップとの境界に形成される折り曲げ容易線が上記第１側面パネル及び第３側面パネルの連接方向の一端から他端にかけて同一波形状を有し、かつ上記第１側面パネルと下側外フラップとの境界、及び上記第３側面パネルと下側外フラップとの境界に形成される折り曲げ容易線が上記第１側面パネル及び第３側面パネルの連接方向の一端から他端にかけて同一波形状を有する箱用シート。
【請求項２】
上記各折り曲げ容易線が、上記第１側面パネル及び第３側面パネルの左右方向の中央を基準として一方側に１つの山部を有し、他方側に１つの谷部を有する請求項１に記載の箱用シート。
【請求項３】
上記第１側面パネル及び第３側面パネルが長辺側面パネルである請求項１又は請求項２に記載の箱用シート。
【発明の詳細な説明】
【技術分野】
【０００１】
本発明は、箱用シートに関する。
【背景技術】
【０００２】
１枚の段ボールシートからなり、一対の長辺側面パネルと一対の端辺側面パネルとで形成される四角筒状部の上下開口を、短辺側面パネルの上縁及び下縁から延出され、内向きに折り曲げられる内フラップと、長辺側面パネルの上縁及び下縁から延出され、内フラップの外側に折り重ねられて先端側が互いに突き合わされる外フラップとで封止する包装箱が広く用いられている。
【０００３】
この包装箱は、例えば商品収容箱として用いられ、商品の陳列や商品の保管等のために段積みして使用されることがある。しかしながら、この包装箱は、包装箱同士が滑り易いと、少しの衝撃によって崩れるおそれがある。
【０００４】
そのため、今日では、端辺側面パネルに連続する上側内フラップの一部分を切り離して係合片を形成し、この係合片を外フラップの上側に折り重ねて配置すると共に、下側外フラップの側端に上記係合片が嵌合する切欠きを形成した包装箱が提案されている（実開昭５５−１１０４２１号公報、特開２０１１−１４３９６６号公報参照）。
【０００５】
上記公報に記載の包装箱は、１つの包装箱の係合片を他の包装箱の切欠きに嵌合させることで複数の包装箱を比較的安定的に積み重ねることができるよう構成されており、これにより積み重ねられた複数の包装箱の荷崩れを一定程度抑制することができるとされている。
【０００６】
しかしながら、上記公報に記載の構成によると、１つの包装箱の係合片を他の包装箱の切欠きに正確に嵌合させないと荷崩れ抑制効果を得ることができない。これに対し、一般に包装箱の積み重ね作業は短時間で素早く行われることが多いため、１つの包装箱の係合片が他の包装箱の切欠きに嵌合しない状態で複数の包装箱が積み重ねられるおそれが高い。このように、上記公報に記載の包装箱によっては、作業効率の低下を抑えることと、複数の包装箱の荷崩れを十分に抑制することとを共に実現することは困難である。
【先行技術文献】
【特許文献】
【０００７】
【特許文献１】実開昭５５−１１０４２１号公報
【特許文献２】特開２０１１−１４３９６６号公報
【発明の概要】
【発明が解決しようとする課題】
【０００８】
本発明は、このような事情に鑑みてなされたものであり、積み重ね作業の作業効率の低下を抑えつつ、複数の箱の荷崩れを十分に抑制することができる箱用シートの提供を目的とするものである。
【課題を解決するための手段】
【０００９】
上記課題を解決するためになされた本発明に係る箱用シートは、左右方向に連接される４つの側面パネル、この４つの側面パネルの上縁から延出する４つの上フラップ及びこの４つの側面パネルの下縁から延出する４つの下フラップを備え、連接方向一端側の側面パネル及び連接方向他端側の側面パネルが連結して四角筒状部を形成することで箱型に組立可能な箱用シートであって、組立状態で対向する一対の上記側面パネルとこの側面パネルから延出する上フラップ及び下フラップとの境界にそれぞれ折り曲げ容易線が形成されており、各折り曲げ容易線が、一端から他端に亘り波状に形成されている。
【００１０】
当該箱用シートは、組立状態で対向する一対の側面パネルとこの側面パネルから延出する上フラップ及び下フラップとの境界に形成される折り曲げ容易線が一端から他端に亘り波状に形成されているので、組立状態でこの一対の側面パネルの上縁及び下縁が上下方向に湾曲した波状に形成される。これにより、当該箱用シートを組み立ててなる箱の天面及び底面には、この折り曲げ容易線に起因して一対の側面パネルの左右方向に凸部と凹部とが連続するうねりが形成される。そのため、当該箱用シートを組み立ててなる複数の箱を積み重ねると、下側の箱の天面に形成される凹凸と上側の箱の底面に形成される凹凸とが干渉してこの一対の側面パネルの左右方向への横ずれが抑制される。これにより、当該箱用シートを組み立ててなる複数の箱は、積み重ね状態において安定的に保持され、荷崩れを十分に抑制することができる。また、当該箱用シートを組み立ててなる箱にあっては、下側の箱の天面に形成される凹部の底点と上側の箱の底面に形成される凸部の頂点、及び下側の箱の天面に形成される凸部の頂点と上側の箱の底面に形成される凹部の底点とを厳密に位置合わせしなくても、凸部及び凹部の干渉により箱の横ずれを十分に抑制することができるので、積み重ね作業の作業効率の低下を抑えることができる。
【００１１】
上記側面パネルと上フラップとの境界に形成される折り曲げ容易線及びこの側面パネルと下フラップとの境界に形成される折り曲げ容易線の波形状がそれぞれ等しいとよい。このように、上記側面パネルと上フラップとの境界に形成される折り曲げ容易線及びこの側面パネルと下フラップとの境界に形成される折り曲げ容易線の波形状がそれぞれ等しいことによって、組立状態において下側の箱の天面に形成される凸部と上側の箱の底面に形成される凹部、及び下側の箱の天面に形成される凹部と上側の箱の底面に形成される凸部とが上下方向に対向するので、これらの凸部及び凹部を容易かつ確実に係合することができ、これにより積み重ね作業性及び積み重ねられた場合における安定性を向上することができる。
【００１２】
展開状態において上記一対の側面パネルと一対の上フラップとの境界に形成される一対の折り曲げ容易線の波形状が等しく、上記一対の側面パネルと一対の下フラップとの境界に形成される一対の折り曲げ容易線の波形状が等しいとよい。このように、展開状態において上記一対の側面パネルと一対の上フラップとの境界に形成される一対の折り曲げ容易線の波形状が等しく、上記一対の側面パネルと一対の下フラップとの境界に形成される一対の折り曲げ容易線の波形状が等しい場合、組立状態において対向する一対の側面パネルの波形状が左右逆になる。これにより、組立状態における一方の側面パネルの谷部の対向位置に他方の側面パネルの山部が形成され、一方の側面パネルの山部の対向位置に他方の側面パネルの谷部が形成される。その結果、当該箱用シートを組み立ててなる複数の箱を積み重ねた場合、これらの箱は凸部と凹部とが干渉することで一対の側面パネルの対向方向にも横ずれし難くなる。従って、上記構成によれば、当該箱用シートを組み立ててなる複数の箱の積み重ね状態における安定性をさらに向上することができる。
【００１３】
上記各折り曲げ容易線が、側面パネルの左右方向の中央を基準として一方側に１つの山部を有し、他方側に１つの谷部を有するとよい。このように、上記各折り曲げ容易線が、側面パネルの左右方向の中央を基準として一方側に１つの山部を有し、他方側に１つの谷部を有することによって、この山部の高さ及び谷部の深さを比較的大きくすることができる。そのため、当該箱用シートを組み立ててなる複数の箱を積み重ねた場合に、下側の箱の天面に形成される凸部と上側の箱の底面に形成される凹部とを係合し、かつ下側の箱の天面に形成される凹部と上側の箱の底面に形成される凸部とを係合し易く、これにより積み重ね状態における安定性を全面的に向上することができる。
【００１４】
上記一対の側面パネルが長辺側面パネルであるとよい。このように、上記一対の側面パネルが長辺側面パネルである場合、この一対の長辺側面パネルの上縁から延出する一対の上フラップが折り曲げられることで天面が形成され、この一対の長辺側面パネルの下縁から延出する一対の下フラップが折り曲げられることで底面が形成される（つまり、上記一対の上フラップ及び一対の下フラップが箱の外面を構成する）ので、当該箱用シートを組み立ててなる箱の天面及び底面に容易かつ確実にうねりを形成することができる。
【００１５】
なお、本発明において「上」及び「下」とは、当該箱用シートを箱型に組み立てた状態での「上」及び「下」を意味する。また、「左右」とは、当該箱用シートを箱型に組み立てた状態での「左右」を意味する。「山部」とは、折り曲げ容易線の両端を結ぶ仮想直線よりも外側（側面パネルと上フラップとの境界に形成される折り曲げ容易線においては上側、側面パネルと下フラップとの境界に形成される折り曲げ容易線においては下側）に突出した凸状部分をいい、「谷部」とは、折り曲げ容易線の両端を結ぶ仮想直線よりも内側（側面パネルと上フラップとの境界に形成される折り曲げ容易線においては下側、側面パネルと下フラップとの境界に形成される折り曲げ容易線においては上側）に窪んだ凹状部分をいう。
【発明の効果】
【００１６】
以上説明したように、本発明に係る箱用シートは、積み重ね作業の作業効率の低下を抑えつつ、複数の箱の荷崩れを十分に抑制することができる。
【図面の簡単な説明】
【００１７】
【図１】本発明の一実施形態に係る箱用シートを示す模式的平面図である。
【図２】図１の箱用シートを組み立ててなる箱を示す模式的斜視図である。
【図３】図１の箱用シートを組み立ててなる箱を示す模式的側面図である。
【図４】図３の箱を２つ積み重ねた状態を示す模式的側面図である。
【図５】図４の箱のＡ−Ａ線端面図である。
【図６】図４の箱のＢ−Ｂ線端面図である。
【発明を実施するための形態】
【００１８】
以下、適宜図面を参照しつつ、本発明の実施の形態を詳説する。
【００１９】
＜箱用シート＞
図１の箱用シートは、１枚の段ボールシートからなる。当該箱用シートは、左右方向に連接される４つの側面パネル（第１側面パネル１、第２側面パネル２、第３側面パネル３及び第４側面パネル４）と、この４つの側面パネル１〜４の上縁から延出する４つの上フラップ５〜８と、この４つの側面パネル１〜４の下縁から延出する４つの下フラップ９〜１２とを備える。また、当該箱用シートは、第１側面パネル１の連接方向一端側に連接される糊代部１３を備える。当該箱用シートは、連接方向一端側の第１側面パネル１及び連接方向他端側の第４側面パネル４が連結して四角筒状部を形成することで箱型に組立可能に構成されている。
【００２０】
当該箱用シートに用いられる段ボールシートとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２１】
第１側面パネル１乃至第４側面パネル４は各々略方形状に形成されている。第１側面パネル１乃至第４側面パネル４は各々上下方向長さが略等しい。また、第１側面パネル１及び第３側面パネル３は、組立状態で対向するよう左右方向長さが略等しく、第２側面パネル２及び第４側面パネル４は、組立状態で対向するよう左右方向長さが略等しい。さらに、第１側面パネル１及び第３側面パネル３は長辺側面パネルとして構成されており、第２側面パネル２及び第４側面パネル４は短辺側面パネルとして構成されている（つまり、第１側面パネル１及び第３側面パネル３の左右方向長さは第２側面パネル２及び第４側面パネル４の左右方向長さよりも大きい）。
【００２２】
第１側面パネル１乃至第４側面パネル４の上下方向長さの下限としては、３ｃｍが好ましく、５ｃｍがより好ましい。一方、第１側面パネル１乃至第４側面パネル４の上下方向長さの上限としては、５０ｃｍが好ましく、２０ｃｍがより好ましい。第１側面パネル１乃至第４側面パネル４の上下方向長さが上記下限に満たないと、当該箱用シートを組み立ててなる箱に収容できる物品が限定されるおそれがある。逆に、第１側面パネル１乃至第４側面パネル４の上下方向長さが上記上限を超えると、包装箱のサイズが大きくなり過ぎて取扱性が低下するおそれがある。
【００２３】
第１側面パネル１及び第３側面パネル３の左右方向長さの下限としては、１０ｃｍが好ましく、２０ｃｍがより好ましい。一方、第１側面パネル１及び第３側面パネル３の左右方向長さの上限としては、１００ｃｍが好ましく、５０ｃｍがより好ましい。第１側面パネル１及び第３側面パネル３の左右方向長さが上記下限に満たないと、当該箱用シートを組み立ててなる箱に収容できる物品が限定されるおそれがある。逆に、第１側面パネル１及び第３側面パネル３の左右方向長さが上記上限を超えると、包装箱のサイズが大きくなり過ぎて取扱性が低下するおそれがある。
【００２４】
第２側面パネル２及び第４側面パネル４の左右方向長さの下限としては、５ｃｍが好ましく、１０ｃｍがより好ましい。一方、第２側面パネル２及び第４側面パネル４の左右方向長さの上限としては、５０ｃｍが好ましく、３０ｃｍがより好ましい。第２側面パネル２及び第４側面パネル４の左右方向長さが上記下限に満たないと、当該箱用シートを組み立ててなる箱に収容できる物品が限定されるおそれがある。逆に、第２側面パネル２及び第４側面パネル４の左右方向長さが上記上限を超えると、包装箱のサイズが大きくなり過ぎて取扱性が低下するおそれがある。
【００２５】
組立状態で対向する第１側面パネル１及び第３側面パネル３と第１側面パネル１及び第３側面パネル３から延出する一対の上フラップ（上側外フラップ）５，７との境界には一対の折り曲げ容易線１４，１５が形成されている。また、第１側面パネル１及び第３側面パネル３と第１側面パネル１及び第３側面パネル３から延出する一対の下フラップ（下側外フラップ）９，１１との境界には一対の折り曲げ容易線１６，１７が形成されている。各折り曲げ容易線１４〜１７は、一端から他端に亘り波状に形成されている。
【００２６】
以下、当該箱用シートの組立状態を示す図２〜図６を参照して、折り曲げ容易線１４〜１７について詳述する。
【００２７】
折り曲げ容易線１４〜１７について説明するに当たり、まず当該箱用シートの組立手順について説明する。当該箱用シートの組立手順としては、まず第１側面パネル１を第２側面パネル２の内面に折り重ね、続いて第４側面パネル４を第３側面パネル３の内面に折り重ね、糊代部１３を第４側面パネル４の内面に貼着する。これにより、第１側面パネル１の連接方向の一端側の端縁及び第４側面パネル４の連接方向の他端側の端縁が連結され、第１側面パネル１乃至第４側面パネル４によって四角筒状部が形成される。次に、第２側面パネル２及び第４側面パネル４の下縁から延出する一対の下フラップ（下側内フラップ）１０，１２を内側に折り曲げ、続いて第１側面パネル１及び第３側面パネル３の下縁から延出する一対の下フラップ（下側外フラップ）９，１１を内側に折り曲げてこの一対の下フラップ９，１１の先端同士を突き合わせることで底面部を形成する。さらに、第２側面パネル２及び第４側面パネル４の上縁から延出する一対の上フラップ（上側内フラップ）６，８を内側に折り曲げ、続いて第１側面パネル１及び第３側面パネル３の上縁から延出する一対の上フラップ（上側外フラップ）５，７を内側に折り曲げてこの一対の上フラップ５，７の先端同士を突き合わせることで天面部を形成する。これにより、当該箱用シートが箱型に組み立てられる。なお、当該箱用シートは、箱型に組み立てられたうえ、一対の上フラップ５，７の突き合わせ部、及び一対の下フラップ９，１１の突き合わせ部の外側を封函テープＸで貼り付けることで図２〜図６の箱２１，２１ａ，２１ｂに形成される。
【００２８】
折り曲げ容易線１４〜１７は、上述のように第１側面パネル１及び第３側面パネル３と一対の上フラップ５，７との境界、並びに第１側面パネル１及び第３側面パネル３と一対の下フラップ９，１１との境界に形成されている。つまり、折り曲げ容易線１４〜１７は、一対の長辺側面パネルと一対の上フラップ５，７との境界、並びに一対の長辺側面パネルと一対の下フラップ９，１１との境界に形成されている。当該箱用シートは、一対の長辺側面パネル（第１側面パネル１及び第３側面パネル３）の上縁から延出する一対の上フラップ５，７が折り曲げられることで天面が形成され、この一対の長辺側面パネルの下縁から延出する一対の下フラップ９，１１が折り曲げられることで底面が形成される（つまり、一対の上フラップ５，７及び一対の下フラップ９，１１が箱２１の外面を構成する）ので、図２に示すように、箱２１の天面及び底面に凸部２４及び凹部２５を有するうねりを容易かつ確実に形成することができる。
【００２９】
折り曲げ容易線１４〜１７は、第１側面パネル１及び第３側面パネル３と一対の上フラップ５，７との境界、並びに第１側面パネル１及び第３側面パネル３と一対の下フラップ９，１１との境界の全部分に形成されている。また、折り曲げ容易線１４〜１７は、両端に亘って波状に形成されている（つまり、折り曲げ容易線１４〜１７は、波状部分以外の部分を有しない）。このように、折り曲げ容易線１４〜１７が両端に亘って波状に形成されていることにより、箱２１は、図３に示すように、第１側面パネル１及び第３側面パネル３の上縁及び下縁が両端に亘って山部２２及び谷部２３が連続した波状に形成される。折り曲げ容易線１４〜１７の波形状は、第１側面パネル１及び第３側面パネル３の左右方向中央を基準として左右非対称に形成されている。
【００３０】
折り曲げ容易線１４〜１７の波形状としては、山部２２と谷部２３とが交互に連続した形状である限り特に限定されない。各折り曲げ容易線１４〜１７における各山部２２の幅（折り曲げ容易線１４〜１７の両端を結ぶ仮想直線上における左右方向長さ）及び各谷部２３の幅（折り曲げ容易線１４〜１７の両端を結ぶ仮想直線上における左右方向長さ）は等しいことが好ましい。また、各折り曲げ容易線１４〜１７における各山部２２の高さ（折り曲げ容易線１４〜１７の両端を結ぶ仮想直線を基準とする高さ）及び各谷部２３の深さ（折り曲げ容易線１４〜１７の両端を結ぶ仮想直線を基準とする深さ）は等しいことが好ましい。なお、各折り曲げ容易線１４〜１７は、上述のように山部２２と谷部２３とが交互に連続して設けられている限り、一部に直線部分等が設けられていてもよい（例えば山部２２と谷部２３との間に上記仮想直線と平行な直線部分が設けられていてもよい）。但し、複数の箱２１を積み重ねた場合にこれらの箱２１の荷崩れをより容易かつ確実に抑制する点からは、各折り曲げ容易線１４〜１７は、山部２２を形成する円弧と谷部２３を形成する円弧とが交互に連続した形状とされることが好ましい。なお、折り曲げ容易線１４〜１７の両端の高さ位置は等しいことが好ましい。
【００３１】
第１側面パネル１と上フラップ５との境界に形成される折り曲げ容易線１４及び第１側面パネル１と下フラップ９との境界に形成される折り曲げ容易線１６の波形状は等しいことが好ましい。また、第３側面パネル３と上フラップ７との境界に形成される折り曲げ容易線１５及び第３側面パネル３と下フラップ１１との境界に形成される折り曲げ容易線１７の波形状は等しいことが好ましい。このように、第１側面パネル１と上フラップ５及び下フラップ９との境界に形成される折り曲げ容易線１４，１６の波形状が等しく、第３側面パネル３と上フラップ７及び下フラップ１１との境界に形成される折り曲げ容易線１５，１７の波形状が等しいことによって、図４に示すように一対の箱２１ａ，２１ｂを棒積みした場合に、下側の箱２１ｂの天面に形成される凸部２４ｂと上側の箱２１ａの底面に形成される凹部２５ａ、及び下側の箱２１ｂの天面に形成される凹部２５ｂと上側の箱２１ａの底面に形成される凸部２４ａとが上下方向に対向するので、これらの凸部２４ａ，２４ｂ及び凹部２５ａ，２５ｂを容易かつ確実に係合することができ、これにより積み重ね作業性及び積み重ねられた場合における安定性を向上することができる。
【００３２】
展開状態において（つまり図１の箱用シートにおいて）、第１側面パネル１及び第３側面パネル３と一対の上フラップ５，７との境界に形成される一対の折り曲げ容易線１４，１５の波形状が等しく、第１側面パネル１及び第３側面パネル３と一対の下フラップ９，１１との境界に形成される一対の折り曲げ容易線１６，１７の波形状が等しいことが好ましい。これにより、第１側面パネル１及び第３側面パネル３の左右方向中央を基準とした波形状が左右非対称とされていることと相俟って、図３に示すように組立状態において第１側面パネル１及び第３側面パネル３の波形状が左右逆になる。このため、第１側面パネル１の谷部２３の対向位置に第３側面パネル３の山部２２が形成され、第１側面パネル１の山部２２の対向位置に第３側面パネル３の谷部２３が形成される。その結果、一対の箱２１ａ，２１ｂを棒積みした場合、図５，６に示すように、第１側面パネル１及び第３側面パネル３の対向方向において下側の箱２１ｂの天面に形成される凸部２４ｂと上側の箱２１ａの底面に形成される凹部２５ａ、及び下側の箱２１ｂの天面に形成される凹部２５ｂと上側の箱２１ａの底面に形成される凸部２４ａとがそれぞれ係合し、凸部２４ａ，２４ｂと凹部２５ａ，２５ｂとが干渉することで第１側面パネル１及び第３側面パネル３の対向方向にも横ずれし難くなる。従って、上記構成によれば、箱２１ａ，２１ｂが積み重ねられた場合における安定性をさらに向上することができる。
【００３３】
各折り曲げ容易線１４〜１７は、第１側面パネル１及び第３側面パネル３の左右方向の中央を基準として一方側に１つの山部２２を有し、他方側に１つの谷部２３を有することが好ましい。このように、各折り曲げ容易線１４〜１７が第１側面パネル１及び第３側面パネル３の左右方向の中央を基準として一方側に１つの山部２２を有し、他方側に１つの谷部２３を有することによって、この山部２２の高さ及び谷部２３の深さを比較的大きくすることができる。つまり、各折り曲げ容易線１４〜１７が複数の山部２２及び複数の谷部２３を有する場合、山部２２の高さ及び谷部２３の深さを比較的大きくすると山部２２及び谷部２３の曲率が大きくなり各折り曲げ容易線１４〜１７を折り曲げ難くなるおそれがあるが、各折り曲げ容易線１４〜１７が１つの山部２２及び１つの谷部２３を有する場合、山部２２の高さ及び谷部２３の深さを大きくしつつ、山部２２及び谷部２３の曲率を小さくすることができるので各折り曲げ容易線１４〜１７を折り曲げ易い。そのため、図４に示すように、一対の箱２１ａ，２１ｂを積み重ねた場合、下側の箱２１ｂの天面に形成される凸部２４ｂと上側の箱２１ａの底面に形成される凹部２５ａとを係合し、かつ下側の箱２１ｂの天面に形成される凹部２５ｂと上側の箱２１ａの底面に形成される凸部２４ａとを係合し易く、これにより積み重ね状態における安定性を全面的に向上することができる。
【００３４】
さらに、各折り曲げ容易線１４〜１７が１つの山部２２及び１つの谷部２３を有する場合、山部２２の頂点及び谷部２３の底点は、第１側面パネル１及び第３側面パネル３の左右方向の中央と両端との中間点に位置することが好ましい。さらに、各折り曲げ容易線１４〜１７は、各折り曲げ容易線１４〜１７の両端を結ぶ仮想直線の中央を基準として略点対称に形成されていることが好ましい。このような構成によれば、山部２２及び谷部２３による凹凸を比較的大きくしても各折り曲げ容易線１４〜１７の折り曲げが困難となり難い。
【００３５】
山部２２の頂点の平均高さ（折り曲げ容易線１４〜１７の両端を結ぶ仮想直線を基準とする平均高さ）の下限としては、１ｍｍが好ましく、２ｍｍがより好ましい。一方、山部２２の頂点の平均高さの上限としては、１０ｍｍが好ましく、５ｍｍがより好ましい。山部２２の頂点の平均高さが上記下限に満たないと、箱２１ａ，２１ｂが積み重ねられた場合における横ずれの抑制効果が十分に向上しないおそれがある。逆に、山部２２の頂点の平均高さが上記上限を超えると、折り曲げ容易線１４〜１７を折り曲げ難くなると共に、当該箱用シートを組み立ててなる箱２１内における物品の安定性が不十分となるおそれがある。
【００３６】
谷部２３の底点の平均深さ（折り曲げ容易線１４〜１７の両端を結ぶ仮想直線を基準とする平均深さ）の下限としては、１ｍｍが好ましく、２ｍｍがより好ましい。一方、谷部２３の底点の平均深さの上限としては、１０ｍｍが好ましく、５ｍｍがより好ましい。谷部２３の底点の平均深さが上記下限に満たないと、箱２１ａ，２１ｂが積み重ねられた場合における横ずれの抑制効果が十分に向上しないおそれがある。逆に、谷部２３の底点の平均深さが上記上限を超えると、折り曲げ容易線１４〜１７を折り曲げ難くなると共に、当該箱用シートを組み立ててなる箱２１内における物品の安定性が不十分となるおそれがある。なお、谷部２３の底点の平均深さは、山部２２の頂点の平均高さと等しいことが好ましい。
【００３７】
山部２２及び谷部２３の平均幅（折り曲げ容易線１４〜１７の両端を結ぶ仮想直線上における平均幅）の下限としては、２．５ｃｍが好ましく、５ｃｍがより好ましい。一方、山部２２及び谷部２３の平均幅の上限としては、２５ｃｍが好ましく、１５ｃｍがより好ましい。山部２２及び谷部２３の平均幅が上記下限に満たないと、山部２２の高さ及び谷部２３の深さを十分に確保した場合に折り曲げ容易線１４〜１７を折り曲げ難くなるおそれがある。逆に、山部２２及び谷部２３の平均幅が上記上限を超えると、箱２１ａ，２１ｂが積み重ねられた場合における横ずれの抑制効果が十分に向上しないおそれがある。
【００３８】
山部２２及び谷部２３の曲率半径の下限としては、８００ｍｍが好ましく、９００ｍｍがより好ましい。一方、山部２２及び谷部２３の曲率半径の上限としては、１１００ｍｍが好ましく、１０００ｍｍがより好ましい。山部２２及び谷部２３の曲率半径が上記下限に満たないと、折り曲げ容易線１４〜１７を折り曲げ難くなるおそれがある。逆に、山部２２及び谷部２３の曲率半径が上記上限を超えると、箱２１ａ，２１ｂが積み重ねられた場合における横ずれの抑制効果が十分に向上しないおそれがある。
【００３９】
第１側面パネル１及び第３側面パネル３の左右方向長さに対する山部２２の平均高さの比の下限としては、０．００１が好ましく、０．００５がより好ましい。一方、第１側面パネル１及び第３側面パネル３の左右方向長さに対する山部２２の平均高さの比の上限としては、０．０５が好ましく、０．０２がより好ましい。上記比が上記下限に満たないと、箱２１ａ，２１ｂが積み重ねられた場合における横ずれの抑制効果が十分に向上しないおそれがある。逆に、上記比が上記上限を超えると、折り曲げ容易線１４〜１７を折り曲げ難くなるおそれがある。
【００４０】
第１側面パネル１及び第３側面パネル３の左右方向長さに対する谷部２３の平均深さの比の下限としては、０．００１が好ましく、０．００５がより好ましい。一方、第１側面パネル１及び第３側面パネル３の左右方向長さに対する谷部２３の平均深さの比の上限としては、０．０５が好ましく、０．０２がより好ましい。上記比が上記下限に満たないと、箱２１ａ，２１ｂが積み重ねられた場合における横ずれの抑制効果が十分に向上しないおそれがある。逆に、上記比が上記上限を超えると、折り曲げ容易線１４〜１７を折り曲げ難くなるおそれがある。
【００４１】
＜利点＞
当該箱用シートは、組立状態で対向する一対の側面パネル（第１側面パネル１及び第３側面パネル３）と第１側面パネル１及び第３側面パネル３から延出する上フラップ５，７及び下フラップ９，１１との境界に形成される折り曲げ容易線１４〜１７が一端から他端に亘り波状に形成されているので、組立状態で第１側面パネル１及び第３側面パネル３の上縁及び下縁が上下方向に湾曲した波状に形成される。これにより、当該箱用シートを組み立ててなる箱２１の天面及び底面には、この折り曲げ容易線１４〜１７に起因して第１側面パネル１及び第３側面パネル３の左右方向に凸部２４と凹部２５とが連続するうねりが形成される。そのため、当該箱用シートを組み立ててなる複数の箱２１ａ，２１ｂを積み重ねると、下側の箱２１ｂの天面に形成される凹凸と上側の箱の底面に形成される凹凸とが干渉して第１側面パネル１及び第３側面パネル３の左右方向への横ずれが抑制される。これにより、当該箱用シートを組み立ててなる複数の箱２１ａ，２１ｂは、積み重ね状態において安定的に保持され、荷崩れを十分に抑制することができる。また、当該箱用シートを組み立ててなる箱２１ａ，２１ｂにあっては、下側の箱２１ｂの天面に形成される凹部２５ｂの底点と上側の箱の底面に形成される凸部２４ａの頂点、及び下側の箱２１ｂの天面に形成される凸部２４ｂの頂点と上側の箱２１ａの底面に形成される凹部２５ａの底点とを厳密に位置合わせしなくても、凸部２４ａ，２４ｂ及び凹部２５ａ，２５ｂの干渉により箱の横ずれを十分に抑制することができるので、積み重ね作業の作業効率の低下を抑えることができる。
【００４２】
［その他の実施形態］
なお、本発明に係る箱用シートは、上記態様の他、種々の変更、改変を施した態様で実施することができる。
【００４３】
例えば側面パネルと上フラップとの境界に形成される折り曲げ容易線及びこの側面パネルと下フラップとの境界に形成される折り曲げ容易線の波形状は異なっていてもよい。当該箱用シートは、側面パネルと上フラップとの境界に形成される折り曲げ容易線及び側面パネルと下フラップとの境界に形成される折り曲げ容易線の波形状が正確に一致していなくても積み重ね作業性及び積み重ねられた場合における安定性を向上することができる。
【００４４】
展開状態における一対の側面パネルと一対の上フラップとの境界に形成される一対の折り曲げ容易線の波形状、及び一対の側面パネルと一対の下フラップとの境界に形成される一対の折り曲げ容易線の波形状は異なっていてもよい。当該箱用シートは、展開状態における一対の側面パネルと一対の上フラップとの境界に形成される一対の折り曲げ容易線の波形状、及び一対の側面パネルと一対の下フラップとの境界に形成される一対の折り曲げ容易線の波形状は異なっている場合でも、一対の側面パネルの左右方向における横ずれを十分に抑制できるので、複数の箱の荷崩れを抑制することができる。
【００４５】
各折り曲げ容易線は、側面パネルの左右方向の中央を基準として一方側に１つの山部を有し、他方側に１つの谷部を有することが好ましいが、側面パネルの左右方向の中央を基準として一方側及び他方側にそれぞれ１又は複数の山部及び谷部を有していてもよい。
【００４６】
当該箱用シートは、上述のように、折り曲げ容易線が、長辺側面パネルと上フラップ及び下フラップとの境界に形成されることが好ましいが、この折り曲げ容易線は短辺側面パネルと上フラップ及び下フラップとの境界に形成されていてもよい。また、上記折り曲げ容易線は、長辺側面パネルと上フラップ及び下フラップとの境界、並びに短辺側面パネルと上フラップ及び下フラップとの境界の両方に形成されていてもよい。
【産業上の利用可能性】
【００４７】
以上のように、本発明に係る箱用シートは、積み重ね作業の作業効率の低下を抑えつつ、複数の箱の荷崩れを十分に抑制することができるので、商品保管用、商品陳列用等に用いられる各種包装箱用シートとして適している。
【符号の説明】
【００４８】
１  第１側面パネル
２  第２側面パネル
３  第３側面パネル
４  第４側面パネル
５〜８  上フラップ
９〜１２  下フラップ
１３  糊代部
１４〜１７  折り曲げ容易線
２１，２１ａ，２１ｂ  箱
２２  山部
２３  谷部
２４，２４ａ，２４ｂ  凸部
２５，２５ａ，２５ｂ  凹部
Ｘ  封函テープ
【要約】
【課題】積み重ね作業の作業効率の低下を抑えつつ、複数の箱の荷崩れを十分に抑制することができる箱用シートの提供を目的とする。
【解決手段】本発明の箱用シートは、左右方向に連接される４つの側面パネル、この４つの側面パネルの上縁から延出する４つの上フラップ及びこの４つの側面パネルの下縁から延出する４つの下フラップを備え、連接方向一端側の側面パネル及び連接方向他端側の側面パネルが連結して四角筒状部を形成することで箱型に組立可能な箱用シートであって、組立状態で対向する一対の上記側面パネルとこの側面パネルから延出する上フラップ及び下フラップとの境界にそれぞれ折り曲げ容易線が形成されており、各折り曲げ容易線が、一端から他端に亘り波状に形成されている。上記側面パネルと上フラップとの境界に形成される折り曲げ容易線及びこの側面パネルと下フラップとの境界に形成される折り曲げ容易線の波形状がそれぞれ等しいとよい。
【選択図】図１【図１】
0006034528.tif 000002
【図２】
0006034528.tif 000003
【図３】
0006034528.tif 000004
【図４】
0006034528.tif 000005
【図５】
0006034528.tif 000006
【図６】
0006034528.tif 000007